(57)【要約】      （修正有）【課題】機能を多様化させ、ユーザごとのニーズを満足させるとともに、各パーツを自身でＤＩＹ可能な音響装置を提供する。【解決手段】ラジオ／ブルートゥース（登録商標）／ワイファイ機能付き音響装置であって、筐体サイズが統一された音響コア１と、音響コアを収容するパーソナライズハウジング２を含み、音響コアは、筐体、筐体内に装着される回路基板１２、回路基板に電気的に接続されるスピーカ１３、調節ユニット１４、表示ユニット及び電気供給ユニットを含み、調節ユニットは、チューニングユニット及び音量調節ユニットのうちの少なくとも１つを含み、音響装置は、更に、各調節ユニットに配設される少なくとも１つの手動調節装置１４１を含み、パーソナライズハウジングには、スピーカに対応して音声伝達経路が設けられ、手動調節装置を外部に伸出させる可動経路が設けられている。【選択図】図１
0003224776.tif 000002
【実用新案登録請求の範囲】
【請求項１】
ラジオ／ブルートゥース（登録商標）／ワイファイ機能付き音響装置であって、
筐体サイズが統一された音響コア（１）と、前記音響コア（１）を収容するためのパーソナライズハウジング（２）を含み、前記音響コア（１）は、筐体（１１）、前記筐体（１１）内に装着される回路基板（１２）、前記回路基板（１２）にそれぞれ電気的に接続されるスピーカ（１３）、調節ユニット（１４）及び電気供給ユニットを含み、前記調節ユニット（１４）は、チューニングユニット及び音量調節ユニットのうちの少なくとも１つを含み、前記音響装置は、更に、各調節ユニット（１４）に配設される少なくとも１つの手動調節装置（１４１）を含み、前記パーソナライズハウジング（２）には、前記スピーカ（１３）に対応して音声伝達経路が設けられており、前記パーソナライズハウジング（２）には、前記手動調節装置（１４１）を外部に伸出させる可動経路が設けられていることを特徴とする音響装置。
【請求項２】
前記音響コア（１）は前記回路基板（１２）に接続されるＬＥＤ表示ユニット（１５）を更に含み、前記パーソナライズハウジング（２）は、対応位置に透光経路が設けられており、前記透光経路に装着されるレンズを更に含むことを特徴とする請求項１に記載のラジオ／ブルートゥース／ワイファイ機能付き音響装置。
【請求項３】
前記筐体（１１）は、正面（１１１）、背面（１１２）、及び前記正面（１１１）と前記背面（１１２）の間の囲繞部（１１３）を含み、前記スピーカ（１３）は前記筐体（１１）の正面に動作可能に装着され、前記パーソナライズハウジング（２）の音声伝達経路はスピーカコーン（１３１）に対向していることを特徴とする請求項１に記載のラジオ／ブルートゥース／ワイファイ機能付き音響装置。
【請求項４】
前記筐体（１１）の正面（１１１）には、前記スピーカ（１３）を装着するための凹溝（１１１１）が備わっており、前記パーソナライズハウジング（２）の内壁が前記スピーカコーン（１３１）の震動に影響することがないよう、前記凹溝（１１１１）の深さは前記スピーカコーン（１３１）の高さ及び震動幅よりも大きくなっていることを特徴とする請求項３に記載のラジオ／ブルートゥース／ワイファイ機能付き音響装置。
【請求項５】
更に、前記パーソナライズハウジング（２）の音声伝達経路に動作可能に設けられる装飾用スピーカクロス（１６）を含むことを特徴とする請求項３又は４に記載のラジオ／ブルートゥース／ワイファイ機能付き音響装置。
【請求項６】
更に、ダイヤル（１７）を含み、前記手動調節装置（１４１）は、周波数チューニング又は音量用ポテンショメータ、或いは、ボタン、スイッチの回転軸又は回転軸の組み合わせを含み、一端が前記調節ユニット（１４）の回転軸に連結するとともに、他端が前記ダイヤル（１７）に連結され、前記手動調節装置（１４１）の可動経路は貫通孔であることを特徴とする請求項３又は４に記載のラジオ／ブルートゥース／ワイファイ機能付き音響装置。
【請求項７】
更に、前記手動調節装置（１４１）の可動経路の周囲に、機械的に動作可能に装着される円形又は部分的に円弧状のダイヤル（１８）を含むことを特徴とする請求項６に記載のラジオ／ブルートゥース／ワイファイ機能付き音響装置。
【請求項８】
更に、ハンドル（１９）を含み、前記手動調節装置（１４１）は、トグルスイッチ、又は変位ポテンショメータ、又は多段スイッチの変位調節アームを含み、前記手動調節装置（１４１）の可動経路は細長の溝孔であり、前記ハンドル（１９）は前記変位調節アームに挿接又は嵌設されることを特徴とする請求項３又は４に記載のラジオ／ブルートゥース／ワイファイ機能付き音響装置。
【請求項９】
更に、前記パーソナライズハウジング（２）における細長の溝孔の辺縁側に動作可能に装着される狭長型の標識装置（１０１）を含むことを特徴とする請求項８に記載のラジオ／ブルートゥース／ワイファイ機能付き音響装置。
【請求項１０】
更に、挿接、係接又はボルトにより前記パーソナライズハウジング（２）のベースに動作可能に装着される脚パッド（１０２）を含むことを特徴とする請求項３又は４に記載のラジオ／ブルートゥース／ワイファイ機能付き音響装置。
【請求項１１】
前記パーソナライズハウジング（２）は、正面（２２）、背面（２３）、及び、前記正面（２２）と前記背面（２３）の間の上面（２４）、底面（２５）、左面（２６）、右面（２７）の６つのパネルを含み、上面パネル（２４）、底面パネル（２５）、左面パネル（２６）、右面パネル（２７）及び背面パネル（２３）は一体構造となっており、背面パネル（２３）には、挿接部材用貫通孔（２３１）と音声用貫通孔（２３２）が予め設けられており、前記正面パネル（２２）は、５つの面に取り囲まれてなる開口に動作可能に装着されることを特徴とする請求項１又は２に記載のラジオ／ブルートゥース／ワイファイ機能付き音響装置。
【請求項１２】
２つの前記パーソナライズハウジング（２）を少なくとも含み、各前記パーソナライズハウジング（２）は異なる材質を使用するか、表面に異なるパターンがコーティングされることを特徴とする請求項１又は２に記載のラジオ／ブルートゥース／ワイファイ機能付き音響装置。
【請求項１３】
前記パーソナライズハウジング（２）にそれぞれ組み合わされる２組の装飾材を少なくとも含み、前記パーソナライズハウジング（２）にそれぞれ組み合わされる２組の手動調節装置（１４１）を少なくとも含み、前記パーソナライズハウジング（２）にそれぞれ組み合わされる２組の装飾用スピーカクロス（１６）を少なくとも含むことを特徴とする請求項１２に記載のラジオ／ブルートゥース／ワイファイ機能付き音響装置。
【請求項１４】
前記音響装置の後部には、充電、外部アンテナ、イヤホン挿入孔、ＡＵＸ ＩＮ入力、及び、カスタマイズにより外部接続機能を拡張可能な接続インターフェース（１０３）が備わっていることを特徴とする請求項１に記載のラジオ／ブルートゥース／ワイファイ機能付き音響装置。
【請求項１５】
前記電気供給ユニットは、充電式電池と、当該電池を充電する充電回路を含むことを特徴とする請求項１又は２に記載のラジオ／ブルートゥース／ワイファイ機能付き音響装置。
【請求項１６】
更に、前記パーソナライズハウジング（２）のパネルに装着される時間／温度表示ユニットを含むことを特徴とする請求項１又は２に記載のラジオ／ブルートゥース／ワイファイ機能付き音響装置。
【請求項１７】
更に、前記音響コア（１）のパネルに突設されるチューニング表示ユニットを含み、前記チューニング表示ユニットは前記回路基板（１２）に電気的に接続され、前記パーソナライズハウジング（２）には、前記チューニング表示ユニットに対応する位置に視認経路が設けられていることを特徴とする請求項１又は２に記載のラジオ／ブルートゥース／ワイファイ機能付き音響装置。
【請求項１８】
ウェブ又はアプリを通じてサーバに接続するラジオ／ブルートゥース／ワイファイ機能付き音響装置の発注方法であって、
Ｓ１）サウンドの好みに関する自身の選択をサーバに送信すると、サーバが予め設定されたテーブルに基づいて、音質パラメータを選択用に提供するステップと、
Ｓ２）サーバからの提案を参考に、音響の音質パラメータを選択又は設定してサーバに送信するステップと、
Ｓ３）サーバが、選択に基づいてスピーカの選択肢を提案するステップと、
Ｓ４）サーバより提案されたスピーカの選択肢から、スピーカを選択してサーバに送信するステップと、
Ｓ５）サーバが提案する複数のパーソナライズハウジングから、パーソナライズハウジングを選択してサーバに送信するステップと、
Ｓ６）選択したハウジングに応じてサーバより提案された装飾材から、装飾材を選択してサーバに送信するステップであって、装飾材にダイヤルが含まれるステップと、
Ｓ７）好みに応じて、サーバより提案された機能拡張モジュールの中から所望の機能モジュールを選択し、サーバに送信するステップ、を含むことを特徴とする方法。
【請求項１９】
ラジオ／ブルートゥース／ワイファイ機能付き音響装置の組み立て方法であって、
Ｓ１）サウンドの好みに基づいて、音質のスタイル特性を予め設定するか、音質パラメータを自身で選択又は設定するステップと、
Ｓ２）選択した音質の好みに応じてスピーカが提案されるステップと、
Ｓ３）音質及びスピーカに基づいて、提案されたパーソナライズハウジングからパーソナライズハウジングを選択するステップと、
Ｓ４）選択したハウジングに応じて、提案されたものの中から装飾材を選択するステップであって、装飾材にダイヤルが含まれるステップと、＜＜  ９５％＞＞
Ｓ５）選択した回路を筐体の回路基板に装着し、スピーカを筐体に装着し、音響コアを選択したハウジングに装着し、選択した装飾材を配置するステップと、
Ｓ６）好みに応じて、機能拡張モジュールを外付けするステップ、を含むことを特徴とする方法。
【考案の詳細な説明】
【技術分野】
【０００１】
本考案は音響機器の技術分野に関し、より具体的には、ラジオ／ブルートゥース（登録商標）／ワイファイ機能付き音響装置と、その発注及び組み立て方法に関する。
【背景技術】
【０００２】
音響製品は気晴らしのための娯楽ツールとして音楽文化とつながっており、通常は、モバイルデバイスからの音楽コンテンツやラジオ番組、或いはインターネット上の音楽を聞くために用いられる。しかし、時代の流れとともに高機能の音響製品が次第に増加しており、単一機能製品としての欠点が目立つようになっている。一方、パーソナライズニーズが高まっているが、市場には機能に大差のない製品が増加する傾向にあり、コモディティ化が深刻である。また、パーソナライズニーズや製品のデザイン文化追求といった新たな観念の下では、柔軟性のない製品外観では人々のニーズを満たすことができない。
【考案の概要】
【考案が解決しようとする課題】
【０００３】
本考案が解決しようとする技術的課題は、従来のラジオ機能を有するだけでなく、ブルートゥース及びワイファイ機能を有し、消費者の異なるニーズを満足させられるラジオ／ブルートゥース／ワイファイ機能付き音響装置を提供することである。また、当該音響機器は各パーツ（例えば、ハウジング、摘み、ダイヤル、スピーカネット、装飾材等の外装コンポーネントを含む）を各自でＤＩＹ可能である。このほか、コアにも各種のサウンドスタイル特性を持たせることができ、ユーザごとの音楽的好みに対応可能である。
【課題を解決するための手段】
【０００４】
本考案における技術解決方案は以下の通りである。
【０００５】
ラジオ／ブルートゥース／ワイファイ機能付き音響装置であって、筐体サイズが統一された音響コアと、前記音響コアを収容するための様々なデザインスタイルのパーソナライズハウジングを含み、前記音響コアは、筐体、前記筐体内に装着される回路基板、前記回路基板にそれぞれ電気的に接続されるスピーカ、調節ユニットを含み、前記調節ユニットは、チューニングユニット及び音量調節ユニットのうちの少なくとも１つを含み、前記音響装置は、更に、各調節ユニットに配設される少なくとも１つの手動調節装置を含み、前記パーソナライズハウジングには、前記スピーカに対応して音声伝達経路が設けられており、前記パーソナライズハウジングには、前記手動調節装置を外部に伸出させる可動経路が設けられている。
【０００６】
更に、前記音響コアは前記回路基板に接続されるＬＥＤ表示ユニットを更に含み、前記パーソナライズハウジングは、対応位置に透光経路が設けられており、前記透光経路に装着されるレンズを更に含む。
【０００７】
更に、前記筐体は、正面、背面、及び前記正面と前記背面の間の囲繞部を含み、前記スピーカは筐体の正面に動作可能に装着され、前記パーソナライズハウジングの音声伝達経路はスピーカコーンに対向している。
【０００８】
更に、前記筐体の正面には、スピーカを装着するための凹溝が備わっており、パーソナライズハウジングの内壁がスピーカコーンの震動に影響することがないよう、凹溝の深さはスピーカコーンの高さ及び震動幅よりも大きくなっている。
【０００９】
更に、前記パーソナライズハウジングの音声伝達経路に動作可能に設けられる装飾用スピーカクロス又はスピーカネットを含む。
【００１０】
更に、ダイヤルを含み、前記手動調節装置は、周波数チューニング又は音量用ポテンショメータ、或いは、ボタン、スイッチの回転軸又は回転軸の組み合わせを含み、一端が調節ユニットの回転軸に連結するとともに、他端が前記ダイヤルに連結され、前記手動調節装置の可動経路は貫通孔である。
【００１１】
更に、前記手動調節装置の可動経路の周囲に機械的に動作可能に装着される円形又は部分的に円弧状のダイヤルを含む。
【００１２】
更に、ハンドルを含み、前記手動調節装置は、トグルスイッチ、又は変位ポテンショメータ、又は多段スイッチの変位調節アームを含み、前記手動調節装置の可動経路は細長の溝孔であり、前記ハンドルは前記変位調節アームに挿接又は嵌設される。
【００１３】
更に、前記パーソナライズハウジングにおける細長の溝孔の辺縁側に動作可能に装着される狭長型の標識装置を含む。
【００１４】
更に、挿接、係接又はボルトにより前記パーソナライズハウジングのベースに動作可能に装着される脚パッドを含む。
【００１５】
更に、前記パーソナライズハウジングは、正面、背面、及び、前記正面と前記背面の間の上面、底面、左面、右面の６つのパネルを含み、上面パネル、底面パネル、左面パネル、右面パネル及び背面パネルは一体構造となっており、背面パネルには、挿接部材用貫通孔と音声用貫通孔が予め設けられており、前記正面パネルは、５つの面に取り囲まれてなる開口に動作可能に装着される。
【００１６】
更に、２つの前記パーソナライズハウジングを少なくとも含み、各前記パーソナライズハウジングは異なる材質を使用するか、表面に異なるパターンがコーティングされる。
【００１７】
更に、パーソナライズハウジングにそれぞれ組み合わされる２組の装飾材を少なくとも含み、パーソナライズハウジングにそれぞれ組み合わされる２組の手動調節装置を少なくとも含み、パーソナライズハウジングにそれぞれ組み合わされる２組の装飾用スピーカクロスを少なくとも含む。
【００１８】
更に、少なくとも１つの内蔵型バッテリ電気供給装置を設ける。
【００１９】
更に、前記音響装置の後部には、充電、外部アンテナ、イヤホン挿入孔、ＡＵＸ  ＩＮ入力、及び、カスタマイズにより外部接続機能を拡張可能な接続インターフェースが備わっている。
【００２０】
更に、前記電気供給ユニットは、充電式電池と、当該電池を充電する充電回路を含む。
【００２１】
更に、前記パーソナライズハウジングのパネルに装着される時間／温度表示ユニットを含む。
【００２２】
更に、前記音響コアのパネルに突設されるチューニング表示ユニットを含み、前記チューニング表示ユニットは前記回路基板に電気的に接続され、前記パーソナライズハウジングには、前記チューニング表示ユニットに対応する位置に視認経路が設けられている。
【００２３】
本考案は、更に、ウェブ又はアプリを通じてサーバに接続するラジオ／ブルートゥース／ワイファイ機能付き音響装置の発注方法であって、Ｓ１）サウンドの好みに関する自身の選択をサーバに送信すると、サーバが予め設定されたテーブルに基づいて、音質パラメータを選択用に提供するステップと、Ｓ２）サーバからの提案を参考に、音響の音質パラメータを選択又は設定してサーバに送信するステップと、Ｓ３）サーバが、選択に基づいてスピーカの選択肢を提案するステップと、Ｓ４）サーバより提案されたスピーカの選択肢から、スピーカを選択してサーバに送信するステップと、Ｓ５）サーバが提案する複数のパーソナライズハウジングから、パーソナライズハウジングを選択してサーバに送信するステップと、Ｓ６）選択したハウジングに応じてサーバより提案された装飾材から、装飾材を選択してサーバに送信するステップであって、装飾材にダイヤルが含まれるステップと、Ｓ７）好みに応じて、サーバより提案された機能拡張モジュールの中から所望の機能モジュールを選択し、サーバに送信するステップ、を含む方法を提供する。
【００２４】
本考案は、更に、ラジオ／ブルートゥース／ワイファイ機能付き音響装置の組み立て方法であって、１）サウンドの好みに基づいて音質パラメータを選択するステップと、２）選択した音質の好みに応じてスピーカが提案されるステップと、３）音質及びスピーカに基づいて、提案されたパーソナライズハウジングからパーソナライズハウジングを選択するステップと、４）選択したハウジングに応じて、提案されたものの中から装飾材を選択するステップであって、装飾材にダイヤルが含まれるステップと、５）選択した回路を筐体の回路基板に装着し、スピーカを筐体に装着し、音響コアを選択したハウジングに装着し、選択した装飾材を配置するステップと、６）好みに応じて、機能拡張モジュールを外付けするステップ、を含む方法を提供する。
【考案の効果】
【００２５】
本考案で提供するラジオ／ブルートゥース／ワイファイ機能付き音響装置を実施することで、以下の有益な効果が得られる。
【００２６】
従来のラジオ機能にブルートゥースとワイファイを追加することで、音響装置の機能をより多様化させており、従来のラジオ局への接続のほか、インターネット接続も可能となる。よって、ユーザごとのニーズを満足させられる。また、多様なスタイルでデザインされる製品やその部材の組み合わせを提供することで、使用法のパーソナライズが実現されるため、音響装置は色や外形の変化がより柔軟となり、ユーザごとの好みを満足させられる。
【００２７】
以下に、図面と実施例を組み合わせて本考案につき更に説明する。
【図面の簡単な説明】
【００２８】
【図１】図１は、本考案で提供するラジオ／ブルートゥース／ワイファイ機能付き音響装置における構造の透視図である。
【図２】図２は、本考案で提供するラジオ／ブルートゥース／ワイファイ機能付き音響装置におけるコアの構造を示す図である。
【図３】図３は、本考案で提供するラジオ／ブルートゥース／ワイファイ機能付き音響装置におけるパーソナライズハウジングの構造を示す図である。
【図４】図４は、本考案で提供するラジオ／ブルートゥース／ワイファイ機能付き音響装置におけるコアの正面図である。
【図５】図５は、本考案で提供するラジオ／ブルートゥース／ワイファイ機能付き音響装置におけるパーソナライズハウジングの正面図である。
【図６】図６は、本考案で提供するラジオ／ブルートゥース／ワイファイ機能付き音響装置における調節装置の構造を示す図である。
【図７】図７は、本考案で提供するラジオ／ブルートゥース／ワイファイ機能付き音響装置におけるスピーカの構造を示す図である。
【考案を実施するための形態】
【００２９】
図１〜図７は、本考案におけるラジオ／ブルートゥース／ワイファイ機能付き音響装置の好ましい実施例を示す。当該音響装置は、筐体サイズが統一された音響コア１と、音響コア１を収容するためのパーソナライズハウジング２を含む。音響コア１は、筐体１１、筐体１１内に装着される回路基板１２、前記回路基板１２にそれぞれ電気的に接続されるスピーカ１３、調節ユニット１４及び電気供給ユニットを含む。前記調節ユニット１４は、チューニングユニット及び音量調節ユニットのうちの少なくとも１つを含む。更に、前記音響装置は、各調節ユニット１４に配設される少なくとも１つの手動調節装置１４１を含む。前記パーソナライズハウジング２には、前記スピーカ１３に対応して音声伝達経路が設けられている。また、前記パーソナライズハウジング２には、前記手動調節装置１４１を外部に伸出させる可動経路が設けられている。
【００３０】
コア１は、音響装置のラジオ／ブルートゥース／ワイファイ機能を実現するために用いられる。また、パーソナライズハウジング２はコア１を積載するとともに、パーソナライズされたハウジングへの任意の交換を可能とする。コア１の回路基板１２は、ラジオ／ブルートゥース／ワイファイ機能を実現するために用いられ、スピーカ１３は音声の伝達に用いられる。調節ユニット１４は、音響装置の動作状態を調節するために用いられ、筐体１１はコア１の各部品を積載するために用いられる。調節ユニット１４は、チューニングユニット１４１としてもよいし、音量調節ユニット１４２としてもよいし、チューニングユニット１４１及び音量調節ユニット１４２としてもよく、ユーザのニーズに応じて自由に選択すればよい。
【００３１】
当該音響装置の電気供給ユニットは、充電式電池と、当該電池を充電する充電回路を含み、音響装置に電気を供給する。
【００３２】
本実施例における音響コア１は、回路基板１２に接続されるＬＥＤ表示ユニット１５を更に含む。また、パーソナライズハウジング２は、対応位置に透光経路が設けられており、透光経路に装着されるレンズを更に含む。ＬＥＤ表示ユニット１５はコアの外表面に設けられており、レンズを通じて外部から音響装置の動作状態を視認可能としている。
【００３３】
本実施例における筐体１１は、正面１１１、背面１１２、及び正面１１１と背面１１２の間の囲繞部１１３を含む。スピーカ１３は筐体１１の正面に動作可能に装着されており、パーソナライズハウジング２の音声伝達経路がスピーカコーン１３１に対向している。筐体１１の正面１１１には、スピーカ１３を装着するための凹溝１１１１が備わっている。パーソナライズハウジング２の内壁がスピーカコーン１３１の震動に影響することがないよう、凹溝１１１１の深さはスピーカコーン１３１の高さ及び震動幅よりも大きくなっている。図７は、スピーカ１３の２種類の装着方式を示しており、筐体１１に設けられた対応する凹溝内に設けてもよいし、平面の筐体に対応する経路に設けてもよい。
【００３４】
本実施例は、更に、パーソナライズハウジング２の音声伝達経路に動作可能に設けられる装飾用スピーカクロス１６を含む。スピーカクロス１６は、皮製、布製、プラスチック製又はその他の可撓性材料を用いればよい。スピーカクロスには、ユーザごとのニーズに応じて異なる色やパターンを印刷し、ユーザのパーソナライズニーズを満足させてもよい。また、スピーカネットを使用してもよく、この場合もまた本考案の構想に属する。
【００３５】
本実施例は、ダイヤル１７を更に含む。また、手動調節装置１４１は、周波数チューニング又は音量用ポテンショメータ、或いは、ボタン、スイッチの回転軸又は回転軸の組み合わせを含み、一端が調節ユニット１４の回転軸に連結するとともに、他端がダイヤル１７に連結される。手動調節装置１４１の可動経路は貫通孔であり、当該貫通孔の周囲には、機械的に動作可能に装着される円形又は部分的に円弧状のダイヤル１８が更に設けられている。ダイヤル１７は、音響装置におけるラジオの周波数又は音量を調節可能に設けられるが、ダイヤル１８を組み合わせて使用することでより的確な調節が可能となる。
【００３６】
本実施例は、ハンドル１９を更に含む。手動調節装置１４１は、トグルスイッチ、又は変位ポテンショメータ、又は多段スイッチの変位調節アームを含む。手動調節装置１４１の可動経路は細長の溝孔であり、ハンドル１９は変位調節アームに挿接又は嵌設されている。ハンドルと変位調節アームは動作可能な挿接関係となっているため、選択肢を多様化できる。
【００３７】
本実施例は、更に、パーソナライズハウジング２における細長の溝孔の辺縁側に動作可能に装着される狭長型の標識装置１０１を含む。
【００３８】
実施例：本実施例は、挿接、係接又はボルトによりパーソナライズハウジング２のベースに動作可能に装着される脚パッド１０２を更に含む。パーソナライズハウジング２の底部に脚パッド１０２を設けることで、音響装置を安定的に設置することが可能となる。当該脚パッドは、プラスチックやゴム等を材質とし、パーソナライズハウジングの底部に均一に配置すればよい。また、脚パッドの材質、外形及び色については、ユーザからの意見を元に人気のデザインを取得すればよい。これにより、装置全体のデザインを変更しなくても、脚パッドを変更するだけで装置全体の雰囲気を一新できる。
【００３９】
実施例：本実施例で使用するパーソナライズハウジング２は、正面２２、背面２３、及び、正面２２と背面２３の間の上面２４、底面２５、左面２６、右面２７の６つのパネルを含む。上面パネル２４、底面パネル２５、左面パネル２６、右面パネル２７及び背面パネル２３は一体構造となっている。背面パネル２３には、挿接部材用貫通孔２３１と音声用貫通孔２３２が予め設けられている。また、正面パネル２２は、５つの面に取り囲まれてなる開口に動作可能に装着される。動作可能な正面パネルを設けることで、正面パネルを取り外して音響コアの部品を交換しやすくなるため、ユーザごとのＤＩＹニーズを満足させられる。
【００４０】
実施例：本実施例は、本考案を利用してキットを提供する場合の例である。キットでは、コアを１つと、パーソナライズハウジング２を２つ提供する。第１ハウジング２にはシルバーの金属表面材を使用し、第２ハウジング２には表面に異なるパターンがコーティングされたプラスチックハウジングを使用する。このようなパーソナライズハウジングによれば、パーソナライズのための選択肢が多様化する。パーソナライズハウジング２の材質は、皮革、木材或いはプラスチック等としてもよく、パターンは任意のパーソナライズされたパターンとすればよい。且つ、各種材質と各類パターンを任意に組み合わせて異なるハウジングを形成すればよい。
【００４１】
実施例：本実施例は、パーソナライズハウジング２にそれぞれ組み合わされる２組の装飾材を少なくとも含むとともに、パーソナライズハウジング２にそれぞれ組み合わされる２組の手動調節装置１４１を少なくとも含み、且つ、パーソナライズハウジング２にそれぞれ組み合わされる２組の装飾用スピーカクロス１６を少なくとも含む。手動調節装置１４１と装飾用スピーカクロス１６の選択肢は多様化させてもよい。手動調節装置１４１は各種形状に設計し、表面を任意の色やパターンで覆ってもよい。また、装飾用スピーカクロス１６の材質は皮革やプラスチック等とし、外表面を任意にパーソナライズされたパターン又は色に設定してもよい。ニーズの違いに応じて組み合わせることで、消費者ごとの好みやニーズを満足させられる。
【００４２】
実施例：本実施例における音響装置の後部には、充電、外部アンテナ、イヤホン挿入孔、ＡＵＸ ＩＮ入力、及び、カスタマイズにより外部接続機能を拡張可能な接続インターフェース１０３が備わっている。より多くの機能ニーズを満たすために、本考案における音響装置の後部には、電気供給用電源（充電を含んでもよい）、外部アンテナ、外部入力、外部出力及び機能拡張インターフェース（例えば、外部サブウーファー）を含む多機能インターフェースが設けられており、ユーザごとの各種ニーズを満足させられる。
【００４３】
実施例：本実施例における音響装置のパーソナライズハウジング２のパネルには、時間／温度表示ユニットが設けられており、ユーザの生活に更なる利便性を提供すべく、時間や密閉空間内の温度を表示可能である。
【００４４】
実施例：本実施例の音響装置は、音響コア１のパネルに突設されるチューニング表示ユニットを含む。チューニング表示ユニットは回路基板１２に電気的に接続される。また、パーソナライズハウジング２には、チューニング表示ユニットに対応する位置に視認経路が設けられている。チューニング表示ユニットによって、音響装置の調節時に各データの変化状況を確認可能となるため、ユーザは音響装置をより使用しやすくなる。
【００４５】
方法実施例：本考案で提示する方法実施例は、ラジオ／ブルートゥース／ワイファイ機能付き音響装置の発注方法について提供する。顧客はウェブを通じてサイトにアクセスするか、アプリを通じて接続サーバにアクセスし、登録及びログインの後に、以下の手順で製品を発注する。
【００４６】
Ｓ１）サウンドの好みに関する自身の選択をサーバに送信すると、サーバが予め設定されたテーブルに基づいて、音質パラメータを選択用に提供する。
【００４７】
Ｓ２）ユーザはサーバからの提案を参考に、音響の音質パラメータを選択又は設定してサーバに送信する。
【００４８】
Ｓ３）サーバはユーザの選択に基づいて、スピーカの選択肢をユーザに提案する。
【００４９】
Ｓ４）サーバより提案された顧客ニーズを満たすスピーカの選択肢から、スピーカを選択してサーバに送信する。
【００５０】
Ｓ５）サーバが提案する複数のパーソナライズハウジングから、ユーザは更にパーソナライズハウジングを選択してサーバに送信する。
【００５１】
Ｓ６）ユーザが選択したハウジングに応じてサーバより提案された装飾材から、装飾材を選択してサーバに送信する。装飾材にはダイヤルが含まれる。
【００５２】
Ｓ７）好みに応じて、サーバより提案された機能拡張モジュールの中から所望の機能モジュールを選択し、サーバに送信する。
【００５３】
このようにして、ユーザのパーソナライズニーズに応じた特性を持つラジオ／ブルートゥース／ワイファイ機能付き音響装置の発注を完了できる。
【００５４】
本考案で提供するラジオ／ブルートゥース／ワイファイ機能付き音響装置の組み立て方法の実施には、以下のステップが含まれる。
【００５５】
１）サウンドの好みに応じて音質パラメータを選択する。
２）選択した音質の好みに応じてスピーカが提案される。
３）音質及びスピーカに基づいて、提案されたパーソナライズハウジングからパーソナライズハウジングを選択する。
４）選択したハウジングに応じて、提案されたものの中から装飾材を選択する。装飾材にはダイヤルが含まれる。
５）選択した回路を筐体の回路基板に装着し、スピーカを筐体に装着し、音響コアを選択したハウジングに装着し、選択した装飾材を配置する。
６）好みに応じて、機能拡張モジュールを外付けするか、機能拡張デバイスを外付けする。
【００５６】
本考案で提供するラジオ／ブルートゥース／ワイファイ機能付き音響装置を使用すれば、選択肢が多様化する。従来のラジオ機能にブルートゥースとワイファイを追加するだけなく、音響装置の機能もより多様化させており、従来のラジオ局への接続のほか、インターネット接続も可能である。よって、ユーザごとのニーズを満足させられる。特に、本考案では機能部分だけでなく、各パーツ（例えば、ハウジング、摘み、ダイヤル、スピーカネット、装飾材等の外装コンポーネントを含む）を各自でＤＩＹ可能であるほか、コアにも各種のサウンドスタイル特性を持たせることで、音響装置をよりパーソナライズ可能である。よって、ユーザごとの好みを満足させられる。
【００５７】
以上は本考案の好ましい実施例にすぎず、当業者であれば、本考案の思想に基づき、具体的実施形態及び応用の範囲において様々な変形を実施可能である。また、これらの変形は本考案の思想を逸脱しない限り、いずれも本考案の保護の範囲に属する。
【図１】
0003224776.tif 000003
【図２】
0003224776.tif 000004
【図３】
0003224776.tif 000005
【図４】
0003224776.tif 000006
【図５】
0003224776.tif 000007
【図６】
0003224776.tif 000008
【図７】
0003224776.tif 000009
【手続補正書】
【提出日】令和1年11月18日(2019.11.18)
【手続補正１】
【補正対象書類名】実用新案登録請求の範囲
【補正対象項目名】全文
【補正方法】変更
【補正の内容】
【実用新案登録請求の範囲】
【請求項１】
ラジオ／ブルートゥース（登録商標）／ワイファイ機能付き音響装置であって、
筐体サイズが統一された音響コア（１）と、前記音響コア（１）を収容するためのパーソナライズハウジング（２）を含み、前記音響コア（１）は、筐体（１１）、前記筐体（１１）内に装着される回路基板（１２）、前記回路基板（１２）にそれぞれ電気的に接続されるスピーカ（１３）、調節ユニット（１４）及び電気供給ユニットを含み、前記調節ユニット（１４）は、チューニングユニット及び音量調節ユニットのうちの少なくとも１つを含み、前記音響装置は、更に、各調節ユニット（１４）に配設される少なくとも１つの手動調節装置（１４１）を含み、前記パーソナライズハウジング（２）には、前記スピーカ（１３）に対応して音声伝達経路が設けられており、前記パーソナライズハウジング（２）には、前記手動調節装置（１４１）を外部に伸出させる可動経路が設けられていることを特徴とする音響装置。
【請求項２】
前記音響コア（１）は前記回路基板（１２）に接続されるＬＥＤ表示ユニット（１５）を更に含み、前記パーソナライズハウジング（２）は、対応位置に透光経路が設けられており、前記透光経路に装着されるレンズを更に含むことを特徴とする請求項１に記載のラジオ／ブルートゥース／ワイファイ機能付き音響装置。
【請求項３】
前記筐体（１１）は、正面（１１１）、背面（１１２）、及び前記正面（１１１）と前記背面（１１２）の間の囲繞部（１１３）を含み、前記スピーカ（１３）は前記筐体（１１）の正面に動作可能に装着され、前記パーソナライズハウジング（２）の音声伝達経路はスピーカコーン（１３１）に対向していることを特徴とする請求項１に記載のラジオ／ブルートゥース／ワイファイ機能付き音響装置。
【請求項４】
前記筐体（１１）の正面（１１１）には、前記スピーカ（１３）を装着するための凹溝（１１１１）が備わっており、前記パーソナライズハウジング（２）の内壁が前記スピーカコーン（１３１）の震動に影響することがないよう、前記凹溝（１１１１）の深さは前記スピーカコーン（１３１）の高さ及び震動幅よりも大きくなっていることを特徴とする請求項３に記載のラジオ／ブルートゥース／ワイファイ機能付き音響装置。
【請求項５】
更に、前記パーソナライズハウジング（２）の音声伝達経路に動作可能に設けられる装飾用スピーカクロス（１６）を含むことを特徴とする請求項３又は４に記載のラジオ／ブルートゥース／ワイファイ機能付き音響装置。
【請求項６】
更に、ダイヤル（１７）を含み、前記手動調節装置（１４１）は、周波数チューニング又は音量用ポテンショメータ、或いは、ボタン、スイッチの回転軸又は回転軸の組み合わせを含み、一端が前記調節ユニット（１４）の回転軸に連結するとともに、他端が前記ダイヤル（１７）に連結され、前記手動調節装置（１４１）の可動経路は貫通孔であることを特徴とする請求項３又は４に記載のラジオ／ブルートゥース／ワイファイ機能付き音響装置。
【請求項７】
更に、前記手動調節装置（１４１）の可動経路の周囲に、機械的に動作可能に装着される円形又は部分的に円弧状のダイヤル（１８）を含むことを特徴とする請求項６に記載のラジオ／ブルートゥース／ワイファイ機能付き音響装置。
【請求項８】
更に、ハンドル（１９）を含み、前記手動調節装置（１４１）は、トグルスイッチ、又は変位ポテンショメータ、又は多段スイッチの変位調節アームを含み、前記手動調節装置（１４１）の可動経路は細長の溝孔であり、前記ハンドル（１９）は前記変位調節アームに挿接又は嵌設されることを特徴とする請求項３又は４に記載のラジオ／ブルートゥース／ワイファイ機能付き音響装置。
【請求項９】
更に、前記パーソナライズハウジング（２）における細長の溝孔の辺縁側に動作可能に装着される狭長型の標識装置（１０１）を含むことを特徴とする請求項８に記載のラジオ／ブルートゥース／ワイファイ機能付き音響装置。
【請求項１０】
更に、挿接、係接又はボルトにより前記パーソナライズハウジング（２）のベースに動作可能に装着される脚パッド（１０２）を含むことを特徴とする請求項３又は４に記載のラジオ／ブルートゥース／ワイファイ機能付き音響装置。
【請求項１１】
前記パーソナライズハウジング（２）は、正面（２２）、背面（２３）、及び、前記正面（２２）と前記背面（２３）の間の上面（２４）、底面（２５）、左面（２６）、右面（２７）の６つのパネルを含み、上面パネル（２４）、底面パネル（２５）、左面パネル（２６）、右面パネル（２７）及び背面パネル（２３）は一体構造となっており、背面パネル（２３）には、挿接部材用貫通孔（２３１）と音声用貫通孔（２３２）が予め設けられており、前記正面パネル（２２）は、５つの面に取り囲まれてなる開口に動作可能に装着されることを特徴とする請求項１又は２に記載のラジオ／ブルートゥース／ワイファイ機能付き音響装置。
【請求項１２】
２つの前記パーソナライズハウジング（２）を少なくとも含み、各前記パーソナライズハウジング（２）は異なる材質を使用するか、表面に異なるパターンがコーティングされることを特徴とする請求項１又は２に記載のラジオ／ブルートゥース／ワイファイ機能付き音響装置。
【請求項１３】
前記パーソナライズハウジング（２）にそれぞれ組み合わされる２組の装飾材を少なくとも含み、前記パーソナライズハウジング（２）にそれぞれ組み合わされる２組の手動調節装置（１４１）を少なくとも含み、前記パーソナライズハウジング（２）にそれぞれ組み合わされる２組の装飾用スピーカクロス（１６）を少なくとも含むことを特徴とする請求項１２に記載のラジオ／ブルートゥース／ワイファイ機能付き音響装置。
【請求項１４】
前記音響装置の後部には、充電、外部アンテナ、イヤホン挿入孔、ＡＵＸ ＩＮ入力、及び、カスタマイズにより外部接続機能を拡張可能な接続インターフェース（１０３）が備わっていることを特徴とする請求項１に記載のラジオ／ブルートゥース／ワイファイ機能付き音響装置。
【請求項１５】
前記電気供給ユニットは、充電式電池と、当該電池を充電する充電回路を含むことを特徴とする請求項１又は２に記載のラジオ／ブルートゥース／ワイファイ機能付き音響装置。
【請求項１６】
更に、前記パーソナライズハウジング（２）のパネルに装着される時間／温度表示ユニットを含むことを特徴とする請求項１又は２に記載のラジオ／ブルートゥース／ワイファイ機能付き音響装置。
【請求項１７】
更に、前記音響コア（１）のパネルに突設されるチューニング表示ユニットを含み、前記チューニング表示ユニットは前記回路基板（１２）に電気的に接続され、前記パーソナライズハウジング（２）には、前記チューニング表示ユニットに対応する位置に視認経路が設けられていることを特徴とする請求項１又は２に記載のラジオ／ブルートゥース／ワイファイ機能付き音響装置。